(57)【要約】【課題】付属品の脱落を抑制して付属品を適切に保持できるとともに、付属品に対する高い保持性、挿入性および引き抜き性をバランスよく備える容器吊り下げ具を提供する。【解決手段】柔軟なシートにより形成されて容器１００を吊り下げ可能な容器吊り下げ具１０であって、容器１００を差し込み可能な挿入孔２１が形成される中央部２０と、中央部２０から対向する両方向へ延在し、各々に取っ手となる取っ手孔３１が形成される２つの吊り下げ部３０と、を有し、吊り下げ部３０は、挿入孔２１および取っ手孔３１の間に、円形である第１保持孔３２と、スリット３６により形成される第２保持孔３３とが形成され、第１保持孔３２および第２保持孔３３は、挿入孔２１から取っ手孔３１へ向かって略同一距離に位置する。【選択図】図２
2020066467.tif 000002
【特許請求の範囲】
【請求項１】
柔軟なシートにより形成されて容器を吊り下げ可能な容器吊り下げ具であって、
容器を差し込み可能な挿入孔が形成される中央部と、
前記中央部から対向する両方向へ延在し、各々に取っ手となる取っ手孔が形成される２つの吊り下げ部と、を有し、
前記吊り下げ部の少なくとも一方は、前記挿入孔および取っ手孔の間に当該吊り下げ部の厚さの方向へ貫通するとともに、円形である少なくとも１つの第１保持孔が形成され、
前記吊り下げ部の少なくとも一方は、前記挿入孔および取っ手孔の間に当該吊り下げ部の厚さの方向へ貫通するとともに、スリットにより形成される少なくとも１つの第２保持孔が形成され、
前記第１保持孔の少なくとも１つと、前記第２保持孔の少なくとも１つは、前記挿入孔から前記取っ手孔へ向かって略同一距離に位置することを特徴とする容器吊り下げ具。
【請求項２】
柔軟なシートにより形成されて容器を吊り下げ可能な容器吊り下げ具であって、
容器を差し込み可能な挿入孔が形成される中央部と、
前記中央部から対向する両方向へ延在し、各々に取っ手となる取っ手孔が形成される２つの吊り下げ部と、を有し、
前記吊り下げ部の少なくとも一方は、前記挿入孔および取っ手孔の間に当該吊り下げ部の厚さの方向へ貫通するとともに、内接し得る円の最大直径が１０〜２５ｍｍである少なくとも１つの第１保持孔が形成され、
前記吊り下げ部の少なくとも一方は、前記挿入孔および取っ手孔の間に当該吊り下げ部の厚さの方向へ貫通するとともに、隙間が１．５ｍｍ以下であるスリットにより形成される少なくとも１つの第２保持孔が形成され、
前記第１保持孔の少なくとも１つと、前記第２保持孔の少なくとも１つは、前記挿入孔から前記取っ手孔へ向かって略同一距離に位置することを特徴とする容器吊り下げ具。
【発明の詳細な説明】
【技術分野】
【０００１】
本発明は、カップ等の容器を吊り下げるための容器吊り下げ具に関する。
【背景技術】
【０００２】
コーヒーショップ、ファーストフード店、コンビニエンスストアなど店舗では、コーヒーやジュース等の持ち帰り用の飲料が、カップに入れられた状態で販売されている。このような飲料が入れられたカップは、持ち運びやすいように、簡易的なホルダーに保持されて提供される場合がある。
【０００３】
例えば特許文献１には、プラスチック製のシートの中央にカップを挿入して吊り下げるための挿入孔が形成され、挿入孔を挟む両側に、手や腕を通すための一対の通し孔が形成された容器吊り下げ具が開示されている。この容器吊り下げ具は、矩形のシート片の３辺をシートに張り付けてポケットが形成されている。このポケットには、砂糖スティックやミルク容器などを入れることができる。
【先行技術文献】
【特許文献】
【０００４】
【特許文献１】特開２００５−８２２２８号公報
【発明の概要】
【発明が解決しようとする課題】
【０００５】
特許文献１に記載の容器吊り下げ具のポケットは、上側の開口から砂糖スティックやミルク容器などの付属品が収容される。しかしながら、ポケットの開口は常に開いているため、収容された付属品が脱落しやすい。
【０００６】
本発明は、上述した課題を解決するためになされたものであり、付属品の脱落を抑制して付属品を適切に保持できるとともに、付属品に対する高い保持性、挿入性および引き抜き性をバランスよく備える容器吊り下げ具を提供することを目的とする。
【課題を解決するための手段】
【０００７】
上記目的を達成する容器吊り下げ具は、柔軟なシートにより形成されて容器を吊り下げ可能な容器吊り下げ具であって、容器を差し込み可能な挿入孔が形成される中央部と、前記中央部から対向する両方向へ延在し、各々に取っ手となる取っ手孔が形成される２つの吊り下げ部と、を有し、前記吊り下げ部の少なくとも一方は、前記挿入孔および取っ手孔の間に当該吊り下げ部の厚さの方向へ貫通するとともに、円形である少なくとも１つの第１保持孔が形成され、前記吊り下げ部の少なくとも一方は、前記挿入孔および取っ手孔の間に当該吊り下げ部の厚さの方向へ貫通するとともに、スリットにより形成される少なくとも１つの第２保持孔が形成され、前記第１保持孔の少なくとも１つと、前記第２保持孔の少なくとも１つは、前記挿入孔から前記取っ手孔へ向かって略同一距離に位置することを特徴とする。
【０００８】
上記目的を達成する容器吊り下げ具は、柔軟なシートにより形成されて容器を吊り下げ可能な容器吊り下げ具であって、容器を差し込み可能な挿入孔が形成される中央部と、前記中央部から対向する両方向へ延在し、各々に取っ手となる取っ手孔が形成される２つの吊り下げ部と、を有し、前記吊り下げ部の少なくとも一方は、前記挿入孔および取っ手孔の間に当該吊り下げ部の厚さの方向へ貫通するとともに、内接し得る円の最大直径が１０〜２５ｍｍである少なくとも１つの第１保持孔が形成され、前記吊り下げ部の少なくとも一方は、前記挿入孔および取っ手孔の間に当該吊り下げ部の厚さの方向へ貫通するとともに、隙間が１．５ｍｍ以下であるスリットにより形成される少なくとも１つの第２保持孔が形成され、前記第１保持孔の少なくとも１つと、前記第２保持孔の少なくとも１つは、前記挿入孔から前記取っ手孔へ向かって略同一距離に位置することを特徴とする。
【発明の効果】
【０００９】
上記のように構成した容器吊り下げ具は、同じ付属品を挿入される第１保持孔および第２保持孔が、挿入孔から取っ手孔へ向かって略同一距離に位置するため、取っ手部を掴んで容器吊り下げ具を吊り下げた際に、第１保持孔および第２保持孔が略水平に並ぶ。このため、容器吊り下げ具は、長尺な付属品を、第１保持孔および第２保持孔に挿入した状態で安定して保持でき、付属品が重力によって第１保持孔および第２保持孔から脱落することを抑制できる。さらに、容器吊り下げ具は、第１保持孔および第２保持孔の両方に挿入される長尺な付属品を、スリットにより形成される第２保持孔により強く保持できる。そして、第２保持孔と同時に使用される第１保持孔は、付属品に強く接触せずに付属品を保持する。このため、容器吊り下げ具は、同時に使用される２つの保持孔のうちの第２保持孔にのみ、付属品を強く保持する機能を有することで、付属品の脱落を抑制する高い保持性と、付属品の挿入性および引き抜き性という保持性と相反しやすい性能を、バランスよく備えることができる。
【図面の簡単な説明】
【００１０】
【図１】第１実施形態に係る容器吊り下げ具を示す平面図である。
【図２】容器吊り下げ具の使用状態を示す斜視図である。
【図３】容器吊り下げ具の一部を示す平面図であり、（Ａ）は使用方法の一例、（Ｂ）は使用方法の他の例を示す。
【図４】第２実施形態に係る容器吊り下げ具を示す平面図であり、（Ａ）は全体図、（Ｂ）は一部拡大図である。
【図５】第３実施形態に係る容器吊り下げ具を示す平面図であり、（Ａ）は全体図、（Ｂ）は一部拡大図である。
【図６】第４実施形態に係る容器吊り下げ具を示す平面図である。
【図７】第５実施形態に係る容器吊り下げ具を示す平面図である。
【図８】変形例を示す平面図であり、（Ａ）は第１変形例、（Ｂ）は第２変形例、（Ｃ）は第３変形例、（Ｄ）は第４変形例、（Ｅ）は第５変形例、（Ｆ）は第６変形例、（Ｇ）は第７変形例、（Ｈ）は第８変形例、（Ｉ）は第９変形例、（Ｊ）は第１０変形例を示す。
【図９】容器吊り下げ具の第１１変形例を示す平面図である。
【図１０】容器吊り下げ具の第１２変形例を示す図であり、（Ａ）は平面図、（Ｂ）は一方の吊り下げ部を巻く際を示す斜視図、（Ｃ）は他方の吊り下げ部を巻く際を示す斜視図である。
【図１１】容器吊り下げ具の第１３変形例に容器を配置した状態を示す平面図である。
【発明を実施するための形態】
【００１１】
以下、図面を参照して、本発明の実施の形態を説明する。なお、図面の寸法比率は、説明の都合上、誇張されて実際の比率とは異なる場合がある。
＜第１実施形態＞
【００１２】
第１実施形態に係る容器吊り下げ具１０は、図２に示すように、コーヒーやジュース等の飲料を入れたカップ状の容器１００を、吊り下げて搬送するためのものである。なお、容器１００に入れられる物は、必ずしも飲料に限定されない。容器１００に入れられる物は、収容可能であれば特に限定されないが、例えば、カップ麺、フルーツ、アイスクリーム、ゼリー、ヨーグルト、パフェ、ケーキ等であってもよい。容器１００は、下端から上端へ向かって外径が大きくなっており、上端が開口している。容器１００の上端は、蓋が取り付けられてもよい。
【００１３】
容器吊り下げ具１０は、図１に示すように、１枚の柔軟なシートにより形成される。シートの構成材料は、紙であることが好ましいが、柔軟に変形可能であれば紙でなくてもよく、例えば布や樹脂材料であってもよい。紙の種類は、特に限定されない。樹脂材料は、特に限定されないが、例えば、シリコーンゴム、合成ゴム、ポリプロピレン、ポリオレフィン、ポリエチレン等が挙げられる。樹脂製のシートは、水に強く強度が高い。樹脂製のシートとしては、例えばプロピレン製の合成紙であるユポ（登録商標）が挙げられる。また、シートは、石から抽出した無機鉱物粉末から作られたストーンペーパーであってもよい。容器吊り下げ具１０は、１枚のシートから切り出すことができるため、製造が容易である。なお、容器吊り下げ具１０は、複数のシートを接合して形成されてもよい。
【００１４】
容器吊り下げ具１０は、容器１００を差し込み可能な挿入孔２１が形成される中央部２０と、手で掴むための取っ手となる取っ手孔３１が形成される２つの吊り下げ部３０を備えている。２つの吊り下げ部３０は、中央部２０から対向する両方向へ延在している。したがって、容器吊り下げ具１０は、曲げられない平面の状態において、１つの吊り下げ部３０、中央部２０、他の吊り下げ部３０が一列に並び、一方向へ長尺な形状となっている。容器吊り下げ具１０の外縁部は、滑らかな曲線で形成されることが好ましい。外縁部とは、外郭の縁に沿う部位である。これにより、容器吊り下げ具１０の外縁部の一部に局所的に応力が集中することを抑制し、破損や変形の発生を抑制できる。容器吊り下げ具１０は、図２に示すように、挿入孔２１に容器１００を差し込み、吊り下げ部３０を撓ませて２つの取っ手孔３１をまとめて掴むことで、容器１００を吊り下げて搬送することができる。
【００１５】
挿入孔２１は、図１、２に示すように、容器１００が挿入されて容器１００を保持する部位である。挿入孔２１は、容器１００が下端側から挿入されて、容器１００の上端側が通り抜けない大きさで形成されている。挿入孔２１は、飲料を入れた容器１００をバランスよく保持できるように、容器１００の上端の近くを保持する大きさであることが好ましい。挿入孔２１の形状は、特に限定されないが、例えば円形や楕円形である。
【００１６】
各々の吊り下げ部３０は、挿入孔２１から離れている側に、手で掴むための取っ手となる取っ手孔３１が形成されている。取っ手孔３１の形状は、特に限定されないが、滑らかな曲線で形成されることが好ましく、例えば楕円形である。これにより、取っ手孔３１の一部に局所的に応力が集中することを抑制し、破損や変形の発生を抑制できる。挿入孔２１から各々の取っ手孔３１までの距離Ｌ１は、一致することが好ましい。これにより、図２に示すように、２つの取っ手孔３１をまとめて掴む際に、挿入孔２１に挿入される容器１００の上端面が略水平となり、容器１００の姿勢を適切に維持できる。
【００１７】
吊り下げ部３０は、図１〜３に示すように、ストロー、砂糖スティック、ミルク容器、ガムシロップ容器、マドラー、スプーン等の付属品１０１、１０２を保持する保持孔が形成されている。保持孔は、第１保持孔３２、第２保持孔３３、第３保持孔３４および第４保持孔３５を備えている。一方の吊り下げ部３０（図１の紙面上方の吊り下げ部３０）は、第１保持孔３２、第２保持孔３３および第３保持孔３４が形成されている。他方の吊り下げ部３０（図１の紙面下方の吊り下げ部３０）は、第４保持孔３５が形成されている。第１保持孔３２、第２保持孔３３、第３保持孔３４および第４保持孔３５の大きさは、保持する付属品１０１、１０２の大きさや形状によって適宜設定されるが、例えば、付属品１０１、１０２がストロー、砂糖スティック、ミルク容器、ガムシロップ容器、マドラー、スプーン等である場合には、いずれも、挿入孔２１よりも面積が小さいことが好ましく、取っ手孔３１よりも面積が小さいことが好ましい。
【００１８】
第１保持孔３２および第２保持孔３３は、ストロー、砂糖スティック、マドラー、スプーン、フォーク、箸等の長尺な付属品１０１を保持するために好適である。すなわち、長尺な付属品１０１を、第１保持孔３２および第２保持孔３３の２ケ所で保持することで、付属品１０１をバランスよく保持することができる。
【００１９】
第１保持孔３２は、例えば円形である。円形とは、真円形、楕円形、卵円形等を意味する。これにより、第１保持孔３２の一部に局所的に応力が集中することを抑制し、破損や変形の発生を抑制できる。第１保持孔３２は、長尺な付属品１０１を挿入可能な大きさで形成されている。第１保持孔３２は、円形であるため、長尺な付属品１０１を挿入する際の抵抗が小さく、付属品１０１を容易に挿入できる。第１保持孔３２は、付属品１０１の長尺方向と直交する断面の形状よりも大きい。すなわち、第１保持孔３２は、付属品１０１を接触させることなく、引っ掛けずに挿入できる大きさを有する。このため、第１保持孔３２は、長尺な付属品１０１を挿入する際および引き抜く際の抵抗が小さく、付属品１０１を容易に挿入できるとともに、容易に引き抜くことができる。
【００２０】
また、第１保持孔３２は、長尺な付属品１０１を挿入する際および引き抜く際に、付属品１０１が引っ掛からない大きさを有すれば、円形でなくてもよい。この場合、第１保持孔３２に内接し得る円の最大直径により、第１保持孔３２の大きさを設定できる。第１保持孔３２の形状に応じて、第１保持孔３２に内接し得る円は１つ以上存在し、そのうちの最大の円の直径が、第１保持孔３２に内接し得る円の最大直径である。長尺な付属品１０１がマドラーである場合、第１保持孔３２に内接し得る円の最大直径は、１０〜１５ｍｍであることが好ましい。長尺な付属品１０１がストローや砂糖スティックである場合、第１保持孔３２に内接し得る円の最大直径は、１５〜２０ｍｍであることが好ましい。長尺な付属品１０１がスプーン、フォークまたは箸である場合、第１保持孔３２に内接し得る円の最大直径は、２０〜２５ｍｍであることが好ましい。したがって、第１保持孔３２に内接し得る円の最大直径は、好ましくは１０ｍｍ以上、または１５ｍｍ以上、または２０ｍｍ以上である。また、第１保持孔３２に内接し得る円の最大直径は、好ましくは２５ｍｍ以下、または２０ｍｍ以上、または１５ｍｍ以上である。これにより、第１保持孔３２は、長尺な付属品１０１を挿入する際および引き抜く際の抵抗が小さく、付属品１０１を容易に挿入できるとともに、容易に引き抜くことができる。第１保持孔３２は、内接し得る円の最大直径により大きさを定義される場合、その形状は特に限定されず、例えば円形、三角形、四角形、他の多角形、星形多角形、またはこれら以外の形状である。なお、第１保持孔３２は、多角形等であって角を有する場合であっても、多角形の角に位置する縁部は、曲率を有するように形成されることが好ましい。これにより、第１保持孔３２の縁部の一部に局所的に応力が集中することを抑制し、破損や変形の発生を抑制できる。第１保持孔３２に内接し得る円の最大直径は、容器吊り下げ具１０により吊り下げる容器１００によって、最適な値が異なってもよい。例えば、容器吊り下げ具１０が、コーヒー、紅茶、お茶、ジュース、ソフトドリンク等の飲料用の容器１００を吊り下げるために製造された製品である場合、付属品１０１は、ストロー、砂糖スティック、マドラー等である。このため、第１保持孔３２に内接し得る円の最大直径は、１０〜２０ｍｍ程度であることが好ましい。
【００２１】
第２保持孔３３は、直交する２つのスリット３６と、各々のスリット３６の両端に位置する終端部３７とにより形成されている。なお、直交する２つのスリット３６は、中心から放射状に延びる４つのスリットと解釈してもよい。終端部３７は、スリット３６の両側の終端に位置し、スリット３６の隙間幅よりも大きな幅を有する孔である。終端部３７の孔の形状は、円形が好ましいが、円形でなくてもよい。幅の広い円形の終端部３７が形成されることで、終端部３７に作用する応力を分散し、破損や変形の発生を抑制できる。
【００２２】
第２保持孔３３は、直交するスリット３６が設けられることで、第２保持孔３３の中心Ｏ１に向かって突出する４つの第２係合部３８が形成されている。第２係合部３８は、変形しやすい自由端と、自由端の反対側に位置する固定端とを備えて撓むことができる梁形状で形成される。なお、第２係合部３８の数は、本実施形態では４つあるが、第２係合部３８の数は限定されず、１つ以上あればよい。各々の第２係合部３８は、９０度の角度で形成される同一形状であるが、異なる角度で形成される異なる形状であってもよい。第２係合部３８は、第２保持孔３３の中心Ｏ１からの距離が、隣接する部位（例えば、終端部３７）と比較して短い。第２保持孔３３の中心Ｏ１は、第２保持孔３３の重心でもある。第２保持孔３３は、第２係合部３８を変形させることで、長尺な付属品１０１を挿入可能となる。すなわち、第２保持孔３３は、第２係合部３８を変形させなければ、長尺な付属品１０１を挿入できない。付属品１０１を第２保持孔３３に挿入すると、第２係合部３８が撓むように変形する。変形した第２係合部３８は、元の形状へ戻ろうとする復元力（弾性力）により、付属品１０１を、第２保持孔３３からずれないように保持する。このため、第２保持孔３３に挿入された付属品１０１は、第２保持孔３３から脱落しにくい。
【００２３】
第１保持孔３２および第２保持孔３３は、挿入孔２１から取っ手孔３１へ向かって略同一距離Ｌ２の位置に形成されている。距離Ｌ２は、挿入孔２１と吊り下げ部３０の境界から、第１保持孔３２または第２保持孔３３の中心までの長さと定義できる。または、距離Ｌ２は、挿入孔２１と吊り下げ部３０の境界から、第１保持孔３２または第２保持孔３３の挿入孔２１に近い位置までの長さと定義することもできる。挿入孔２１から第１保持孔３２までの距離Ｌと、挿入孔２１から第２保持孔３３までの距離Ｌは、多少の差異があってもよい。すなわち、第１保持孔３２および第２保持孔３３に挿入される付属品１０１が、重力によって第１保持孔３２および第２保持孔３３から抜け落ちない程度に、略平行となればよい。容器吊り下げ具１０を吊り下げると、第１保持孔３２および第２保持孔３３は、略水平に並ぶ。このため、対をなす第１保持孔３２および第２保持孔３３の両方に挿入された付属品１０１は、第１保持孔３２および第２保持孔３３から脱落しにくい。
【００２４】
吊り下げ部３０は、第１保持孔３２および第２保持孔３３で１つの長尺な付属品１０１を保持するため、付属品１０１をバランスよく保持できる。そして、長尺な付属品１０１を保持するために同時に利用される第１保持孔３２および第２保持孔３３のうち、一方の第２保持孔３３のみが、第２係合部３８を備えている。このため、付属品１０１を第１保持孔３２および第２保持孔３３の両方に短時間で挿入でき、かつ両方から短時間で取り出すことが可能である。すなわち、容器吊り下げ具１０は、第１保持孔３２および第２保持孔３３の両方に挿入される長尺な付属品１０１を、スリット３６により形成される第２保持孔３３により強く保持できる。そして、第２保持孔３３と一緒に使用される第１保持孔３２は、付属品１０１に強く接触せずに付属品１０１を保持する。したがって、容器吊り下げ具１０は、同時に使用される２つの保持孔のうちの第２保持孔３３にのみ、付属品１０１を強く保持する機能を有することで、付属品１０１の脱落を抑制する高い保持性と、付属品１０１の挿入性および引き抜き性という相反しやすい性能を、バランスよく両立できる。したがって、使用者は吊り下げ具１０を利用して容器１００を吊り下げて移動する際に、付属品１０１が傾きの変化や空気抵抗等によって脱落することを気にすることなく、容易に搬送できる。なお、第１保持孔３２および第２保持孔３３の両方が、付属品１０１に係合する係合部を備えてもよい。また、第１保持孔３２および第２保持孔３３の両方が、付属品１０１に係合する係合部を備えなくてもよい。付属品１０１を第１保持孔３２および第２保持孔３３に挿入する際に、付属品１０１は、図３（Ｂ）に示すように吊り下げ部３０の内側（他の吊り下げ部３０と隣接する側）から挿入されても、図３（Ａ）に示すように外側（他の吊り下げ部３０と隣接しない側）から挿入されてもよい。
【００２５】
第１保持孔３２および第２保持孔３３の両方に付属品１０１を挿入すると、柔軟な吊り下げ部３０は、付属品１０１の形状に追従するように変形する。例えば、付属品１０１が直線状であれば、吊り下げ部３０は、直線状の付属品１０１に対して第１保持孔３２および第２保持孔３３で交差するように波状に変形する。第１保持孔３２および第２保持孔３３に付属品１０１を挿入した状態で取っ手孔３１を掴んで吊り下げると、挿入孔２１と取っ手孔３１の間に張力が発生する。このとき、第１保持孔３２および第２保持孔３３は、同じ吊り下げ部３０に設けられ、かつ挿入孔２１と取っ手孔３１の間に位置している。したがって、付属品１０１の形状に追従するように変形した第１保持孔３２および第２保持孔３３の近傍の吊り下げ部３０が、張力によって元の平面形状に戻ろうとするため、第１保持孔３２および第２保持孔３３が付属品１０１に押し付けられる。このため、付属品１０１は、第１保持孔３２および第２保持孔３３に強く保持され、第１保持孔３２および第２保持孔３３から脱落しにくくなる。また、第１保持孔３２および第２保持孔３３は、同じ吊り下げ部３０に設けられるため、２つの吊り下げ部３０を近接させたり離したりしても、挿入された付属品１０１を保持した状態を良好に維持できる。本実施形態では、第１保持孔３２および第２保持孔３３は、１対のみ設けられるが、２対以上設けられてもよい。例えば、第１保持孔３２および第２保持孔３３は、それぞれの吊り下げ部３０に設けられてもよい。または、第１保持孔３２および第２保持孔３３は、一方の吊り下げ部３０に複数設けられてもよい。
【００２６】
第３保持孔３４は、図１〜３に示すように、小さなカップ状のミルク容器やガムシロップ容器を保持する部位である。第３保持孔３４は、内縁部が滑らかな曲線によって波状に形成されることで、第３保持孔３４の中心Ｏ２に向かって突出する複数の第３係合部３９が形成されている。第３保持孔３４の中心Ｏ２は、第３保持孔３４の重心でもある。内縁部とは、孔の縁に沿う部位である。なお、第３係合部３９の数は、本実施形態では８つあるが、第３係合部３９の数は限定されず、１つ以上あればよい。第３係合部３９は、第３保持孔３４の中心Ｏ２からの距離が、隣接する部位（例えば、２つの第３係合部３９に挟まれる谷部４０）と比較して短い。第３保持孔３４は、第３係合部３９を変形させることで、カップ状の付属品１０２を挿入可能となる。すなわち、第３保持孔３４は、第３係合部３９を変形させなければ、カップ状の付属品１０２を挿入できない。付属品１０２を第３保持孔３４に挿入すると、図３（Ａ）に示すように、第３係合部３９が撓むように変形する。また、第３係合部３９の周囲も、第３係合部３９とともに多少変形する。変形した第３係合部３９は、元の形状へ戻ろうとする復元力（弾性力）により、付属品１０２を、第３保持孔３４からずれないように保持する。このため、第３保持孔３４に挿入された付属品１０２は、第３保持孔３４から脱落しにくい。第３保持孔３４の内縁部は、滑らかな曲線で形成されることが好ましい。これにより、第３保持孔３４の一部に局所的に応力が集中することを抑制し、破損や変形の発生を抑制できる。
【００２７】
第３保持孔３４に付属品１０２を挿入した状態で取っ手孔３１を掴んで吊り下げると、挿入孔２１と取っ手孔３１の間に張力が発生する。このとき、第３保持孔３４は、挿入孔２１と取っ手孔３１の間に位置している。したがって、第３保持孔３４の近傍の吊り下げ部３０が、張力によって元の平面形状に戻ろうとするため、変形しつつ付属品１０２に接触する第３係合部３９が、付属品１０２に押し付けられる。このため、付属品１０２は、第３保持孔３４に強く保持され、第３保持孔３４から脱落しにくくなる。また、挿入孔２１と取っ手孔３１の間に張力が発生していない状態では、吊り下げ部３０が変形しやすいため、第３係合部３９および第３係合部３９の周囲を変形させつつ第３持孔に付属品１０２を容易に挿入でき、かつ第３保持孔３４から付属品１０２を容易に取り外すことができる。
【００２８】
付属品１０２を第３保持孔３４に挿入する際に、図３（Ｂ）に示すように、第３係合部３９の少なくとも１つを、付属品１０２の蓋部１０３を挟んで一方側に配置し、第３係合部３９の少なくとも１つを、蓋部１０３を挟んで他方側に配置することもできる。このようにすれば、第３係合部３９は、付属品１０２を、吊り下げ部３０から内側（他の吊り下げ部３０と隣接する側）への脱落および外側（他の吊り下げ部３０と隣接しない側）への脱落の両方を抑制できる。なお、このように保持する場合には、第３係合部３９は、蓋部１０３を挟んで両側に少なくとも１つずつ飛鳥であるため、第３保持孔３４に２つ以上設けられる必要がある。付属品１０２は、吊り下げ部３０の外側の面から第３保持孔３４に挿入されることが好ましいが、内側の面から挿入されてもよい。
【００２９】
第４保持孔３５は、第３保持孔３４と同様に、小さなカップ状のミルク容器やガムシロップ容器を保持する部位である。第４保持孔３５は、第３保持孔３４と同様の形状および機能を有している。第４保持孔３５の大きさは、第３保持孔３４の大きさと同じであってもよく、または異なってもよい。第３保持孔３４と第４保持孔３５の大きさが異なる場合、使用者が、保持したい付属品１０２の大きさや形状に合わせて、第３保持孔３４または第４保持孔３５を選択可能となる。なお、ここでは、第３保持孔３４の説明と重複するため、第４保持孔３５の説明を省略する。
【００３０】
次に、第１実施形態に係る容器吊り下げ具１０の使用方法を説明する。
【００３１】
容器吊り下げ具１０は、平面形状で複数を重ねられた状態で保管される。飲料を入れた容器１００を容器吊り下げ具１０に保持する際には、飲料を入れた容器１００を、下端側から挿入孔２１に挿入する。次に、ストロー、砂糖スティック、マドラー、スプーン等の長尺な付属品１０１があれば、図３に示すように、付属品１０１を、第１保持孔３２および第２保持孔３３に挿入する。次に、ミルク容器、ガムシロップ容器等のカップ状の付属品１０２があれば、付属品１０２を、第３保持孔３４または第４保持孔３５に挿入する。第３保持孔３４または第４保持孔３５に挿入された付属品１０２の蓋面は、覆われずに外部へ露出するため、持ち歩く際に、蓋面に印字されている店舗名や社名等を、周囲の人へ目に付くように表示できる。この後、容器１００を挿入した挿入孔２１の両側に位置する２つの吊り下げ部３０を撓ませて、２つの取っ手孔３１をまとめて掴み、取っ手孔３１を鉛直方向の上方へ移動させる。これにより、図２に示すように、容器１００が容器吊り下げ具１０に保持されて吊り下げられる。吊り下げられた容器１００の重心は、挿入孔２１よりも鉛直方向の下方に位置する。このため、容器１００は、容器吊り下げ具１０に安定した姿勢で保持されて、容器１００の揺れを抑制できるとともに、内容物をこぼさずに搬送可能となる。なお、付属品１０１、１０２は、２つの取っ手孔３１をまとめて掴んだ後に、第１保持孔３２〜第４保持孔３５に挿入されてもよい。
【００３２】
吊り下げた容器吊り下げ具１０を降ろす際には、まず、平坦な面に容器１００の下端を接触させる。この後、２つの取っ手孔３１を離すようにして２つの吊り下げ部３０を広げる。容器１００を保持していた挿入孔２１は、容器１００に対して鉛直方向の下方へ移動し、容器１００が挿入孔２１から離脱する。この後、第１保持孔３２〜第４保持孔３５のいずれかに保持された付属品１０１を容器吊り下げ具１０から取り外し、利用することができる。平坦な面に容器１００を降ろすと、吊り下げ部３０に作用する張力が低減する。これにより、張力によって第１保持孔３２および第２保持孔３３に強く保持された長尺な付属品１０１を、容易に取り外すことができる。また、張力によって第３保持孔３４や第４保持孔３５に強く保持されたカップ状の付属品１０２を、容易に取り外すことができる。
【００３３】
以上のように、第１実施形態に係る容器吊り下げ具１０は、柔軟なシートにより形成されて容器１００を吊り下げ可能な容器吊り下げ具１０であって、容器１００を差し込み可能な挿入孔２１が形成される中央部２０と、中央部２０から対向する両方向へ延在し、各々に取っ手となる取っ手孔３１が形成される２つの吊り下げ部３０と、を有し、吊り下げ部３０の少なくとも一方は、挿入孔２１および取っ手孔３１の間に保持孔（第１保持孔３２、第２保持孔３３、第３保持孔３４、第４保持孔３５）が形成される。
【００３４】
上記のように構成した容器吊り下げ具１０は、保持孔に例えばストロー、ガムシロップ容器、ミルク容器、マドラー、スプーン等の付属品１０１、１０２を差し込んで保持できる。このため、容器吊り下げ具１０は、付属品１０１、１０２の脱落を抑制して、当該付属品１０１、１０２を適切に保持できる。また、容器吊り下げ具１０は、柔軟なシートにより形成できるため、低コストで容易に製造できる。また、容器吊り下げ具１０は、シート状であるため、省スペースで保管が可能である。また、容器吊り下げ具１０は、平面状に広がった状態から、組み立てることなくそのまま使用できるため、時間をかけずに容易に使用できる。また、容器吊り下げ具１０は、１枚のシートで形成できるため、資源を削減でき、環境保護につながる。
【００３５】
また、少なくとも１つの保持孔（第２保持孔３３、第３保持孔３４、第４保持孔３５）は、少なくとも１つの係合部（第２係合部３８、第３係合部３９）が形成され、当該係合部は、保持孔の中心からの距離が隣接する部位と比較して短い。これにより、保持孔に挿入された付属品１０１、１０２は、保持孔の中心から近い係合部に接触して保持される。このため、保持孔に挿入された付属品１０１、１０２は、保持孔から脱落することが抑制される。
【００３６】
また、第１保持孔３２および第２保持孔３３は、挿入孔２１から取っ手孔３１へ向かって略同一距離Ｌ２の位置に少なくとも２つ設けられる。これにより、取っ手孔３１を掴んで容器吊り下げ具１０を吊り下げた際に、第１保持孔３２および第２保持孔３３が略水平に並ぶ。このため、長尺な付属品１０１を２つの第１保持孔３２および第２保持孔３３に挿入して安定して保持できるとともに、付属品１０１が重力によって第１保持孔３２および第２保持孔３３から脱落することを抑制できる。
【００３７】
また、第１保持孔３２および第２保持孔３３が、一方の吊り下げ部３０に形成されている。これにより、２つの吊り下げ部３０が離れても、第１保持孔３２および第２保持孔３３の距離が変わらないため、第１保持孔３２および第２保持孔３３に挿入された付属品１０１が、第１保持孔３２および第２保持孔３３から脱落することを抑制できる。また、第１保持孔３２および第２保持孔３３に付属品１０１を挿入した状態で取っ手孔３１を掴んで吊り下げると、挿入孔２１と取っ手孔３１の間に張力が発生する。このとき、第１保持孔３２および第２保持孔３３は、同じ吊り下げ部３０に設けられ、かつ挿入孔２１と取っ手孔３１の間に位置している。したがって、付属品１０１の形状に追従するように変形した第１保持孔３２および第２保持孔３３の近傍の吊り下げ部３０は、張力によって元の平面形状に戻ろうとするため、第１保持孔３２および第２保持孔３３が付属品１０１に押し付けられる。このため、付属品１０１が、第１保持孔３２および第２保持孔３３から脱落することを抑制できる。また、挿入孔２１と取っ手孔３１の間に張力が発生していない状態では、吊り下げ部３０が変形しやすいため、第１保持孔３２および第２保持孔３３に付属品１０１を容易に挿入でき、かつ第１保持孔３２および第２保持孔３３から付属品１０１を容易に取り外すことができる。
【００３８】
また、第１保持孔３２、第３保持孔３４および第４保持孔３５の内縁部は、曲線で形成される。これにより、保持孔の内縁部の一部に応力が集中することを抑制できる。このため、保持孔が破損または変形することを抑制できる。
＜第２実施形態＞
【００３９】
第２実施形態に係る容器吊り下げ具５０は、図４に示すように、第３保持孔５１および第４保持孔５２の形状のみが、第１実施形態と異なる。なお、第１実施形態と同様の機能を有する部位には、同一の符号を付し、説明を省略する。
【００４０】
第３保持孔５１は、直線状のスリット５３と、スリット５３から離れて位置する三ケ月形状の開口部５４とを備えている。スリット５３および開口部５４は、１つの付属品１０２を保持するために同時に使用される対の（２つの）保持孔である。スリット５３および開口部５４は、取っ手孔３１から挿入孔２１へ向かう方向（吊り下げた際の上下方向）に並んで配置されているが、取っ手孔３１から挿入孔２１へ向かう方向と直交する方向（吊り下げた際の水平方向）に並んで配置されてもよい。スリット５３の両端には、終端部５５が形成されている。終端部５５は、スリット５３の隙間幅よりも大きな幅を有する孔である。終端部５５の孔の形状は、円形が好ましいが、円形でなくてもよい。幅の広い円形の終端部５５が形成されることで、終端部５５に作用する応力を分散し、スリット５３の破損や変形を抑制できる。
【００４１】
三ケ月形状の開口部５４は、スリット５３に近い側の第１縁部５６と、スリット５３から遠い側の第２縁部５７が形成されている。第１縁部５６は、スリット５３と平行に、直線状に形成されている。第２縁部５７は、第１縁部５６から離れる方向へ凸となる円弧状に形成されている。第１縁部５６と第２縁部５７は、曲線でつながっている。このため、第１縁部５６と第２縁部５７を繋ぐ部位に局所的に応力が集中することを抑制し、開口部５４の破損や変形の発生を抑制できる。
【００４２】
第４保持孔５２は、第３保持孔５１と同様の形状と機能を有している。ここでは、第３保持孔５１の説明と重複するため、第４保持孔５２の説明を省略する。
【００４３】
第３保持孔５１に、ミルク容器、ガムシロップ容器等のカップ状の付属品１０２を保持する際には、図４（Ｂ）に示すように、まず、スリット５３に、付属品１０２の蓋部１０３の一部を挿入する。次に、開口部５４に、付属品１０２の蓋部１０３の他の部位を挿入する。このとき、開口部５４は、スリット５３から遠い側の第２縁部５７が円弧状であるため、付属品１０２の蓋部１０３の一部をスリット５３に保持した後であっても、開口部５４に付属品１０２の蓋部１０３の他の部位を挿入しやすい。付属品１０２の蓋部１０３は、スリット５３の開口部５４から離れた側の第３係合部５８と、開口部５４のスリット５３から離れた側の第３係合部５９に引っ掛かり、良好に保持される。このため、スリット５３および開口部５４に保持された付属品１０２は、第３保持孔５１から脱落することが抑制される。
＜第３実施形態＞
【００４４】
第３実施形態に係る容器吊り下げ具６０は、図５に示すように、第３保持孔６１および第４保持孔６２の形状のみが、第１実施形態と異なる。なお、第１実施形態と同様の機能を有する部位には、同一の符号を付し、説明を省略する。
【００４５】
第３保持孔６１は、四隅が丸められた略四角形で形成されている。第３保持孔６１は、四角形の各辺に位置する４つの第３係合部６３と、第３係合部６３の間に位置する４つの角部６４を備えている。角部６４は、曲面で形成されている。このため、角部６４に作用する応力を分散し、破損や変形を抑制できる。第３係合部６３は、第３保持孔６１の中心Ｏ２からの距離が、隣接する部位（例えば、角部６４）と比較して短い。
【００４６】
第４保持孔６２は、第３保持孔６１と同様の形状と機能を有している。ここでは、第３保持孔６１の説明と重複するため、第４保持孔６２の説明を省略する。
【００４７】
第３保持孔６１に、ミルク容器、ガムシロップ容器等のカップ状の付属品１０２を保持する際には、図５（Ｂ）に示すように、まず、第３係合部６３の１つに、付属品１０２の蓋部１０３の一部を引っ掛ける。次に、蓋部１０３を引っ掛けた第３係合部６３の反対側に位置する他の第３係合部６３に、蓋部１０３の他の部位を引っ掛ける。そして、他の２つの第３係合部６３には、蓋部１０３を引っ掛けない。これにより、第３係合部６３は、付属品１０２を、吊り下げ部３０から内側への脱落および外側への脱落の両方を抑制できる。第３保持孔６１に挿入された付属品１０２の蓋面は、覆われずに外部へ露出するため、持ち歩く際に、蓋面に印字されている店舗名や社名等を、周囲の人へ目に付くように表示できる。
＜第４実施形態＞
【００４８】
第４実施形態に係る容器吊り下げ具７０は、図６に示すように、第２保持孔７１の位置のみが、第１実施形態と異なる。なお、第１実施形態と同様の機能を有する部位には、同一の符号を付し、説明を省略する。
【００４９】
第２保持孔７１は、第１保持孔３２が形成される吊り下げ部３０とは異なる吊り下げ部３０に形成される。第１保持孔３２および第２保持孔７１は、挿入孔２１から取っ手孔３１へ向かって略同一距離Ｌ２の位置に形成されている。このため、容器吊り下げ具７０を吊り下げると、第１保持孔３２および第２保持孔７１に挿入された長尺な付属品１０１は、略水平な状態（重力方向と略垂直な状態）となる。このため、第１保持孔３２および第２保持孔７１は、第１保持孔３２および第２保持孔７１に挿入された付属品１０１は、容器吊り下げ具７０から脱落しにくい。第１保持孔３２および第２保持孔７１は、異なる吊り下げ部３０に形成されているため、２つの吊り下げ部３０とともに、近接および離れることが可能である。
＜第５実施形態＞
【００５０】
第５実施形態に係る容器吊り下げ具８０は、図７に示すように、補強部８１が設けられる点のみが、第１実施形態と異なる。なお、第１実施形態と同様の機能を有する部位には、同一の符号を付し、説明を省略する。
【００５１】
容器吊り下げ具８０は、挿入孔２１の内縁部、取っ手孔３１の内縁部、保持孔の内縁部、および容器吊り下げ具８０全体の外縁部に、補強部８１が設けられている。補強部８１は、例えば、各部位の表面に接着や融着等によって張り付けられる補強シートや、各部位の表面に塗布された後に硬化したシート状部材、各部位に浸み込んで（含浸されて）硬化した補強部材である。補強部８１の構成材料は、例えば、樹脂材料、紙、布、またはこれらの少なくとも２つの混合物等が挙げられる。補強部８１は、強度が高いのみならず、耐水性が高い（濡れても強度が低下しない）ことが好ましい。
【００５２】
なお、補強部８１は、挿入孔２１の内縁部、取っ手孔３１の内縁部、保持孔の内縁部、および容器吊り下げ具８０全体の外縁部の全てに必ず設けられる必要はなく、例えば、これらの１つ以上に設けられればよい。また、補強部８１は、各内縁部または外縁部に、全周的に連続して設けられることが好ましいが、部分的に設けられてもよい。また、補強部８１は、容器吊り下げ具８０を構成するシートに他の部材を設けることで形成されるものでなくてもよく、例えば、容器吊り下げ具８０を構成するシートを部分的に厚く作成することで、補強部８１とすることもできる。例えば、容器吊り下げ具８０が樹脂製である場合、射出成形等によって、シートを部分的に厚く形成することは容易である。
【００５３】
第５実施形態に係る容器吊り下げ具８０は、挿入孔２１の内縁部、取っ手孔３１の内縁部、保持孔（第１保持孔３２、第２保持孔３３、第３保持孔３４および第４保持孔３５）の内縁部、および容器吊り下げ具８０全体の外縁部の少なくとも１つに、隣接する部位よりも強度の高い補強部８１が設けられるため、容器吊り下げ具８０が、力を受けたり濡れたりすることによって破損したり変形したりすることを抑制できる。
【００５４】
なお、本発明は、上述した実施形態のみに限定されるものではなく、本発明の技術的思想内において当業者により種々変更が可能である。例えば、容器吊り下げ具の挿入孔２１は、１つであるが、２つ以上設けられてもよい。これにより、１つの容器吊り下げ具で、複数の容器１００を吊り下げることが可能となる。また、容器吊り下げ具は、防水加工が施されてもよい。
【００５５】
また、第２保持孔３３の形状は、上述した例に限定されない。例えば、スリット３６は、隙間がなくてもよいが、図８（Ａ）に示す第１変形例のように、微小な幅である隙間Ｗ１があってもよい。また、複数のスリット３６が集合する位置で、隙間Ｗ１よりも大きな微小な隙間Ｗ２が形成されてもよい。微小な隙間Ｗ１、Ｗ２は、挿入される付属品１０１の長尺方向と直交する断面の形状よりも小さい。長尺方向と直交する断面の形状が小さい付属品１０１は、マドラーやスプーン等であり、特に、マドラーやスプーンの柄の部分の断面形状が小さく、通常、柄の部分が第２保持孔３３に保持される。マドラーやスプーンの柄の部分の、断面形状において薄い部分は、通常、小さくても１．５ｍｍを超える厚さを有する。このため、第２保持孔３３の隙間Ｗ１、Ｗ２は、特に限定されないが、好ましくは１．５ｍｍ以下であり、より好ましくは１．２ｍｍ以下であり、さらに好ましくは１．０ｍｍ以下、さらに好ましくは０ｍｍである。これにより、隙間Ｗ１、Ｗ２が付属品１０１よりも小さいため、第２保持孔３３は、付属品１０１を挿入する際、引き抜く際、および付属品１０１を保持している際に、必ず変形する。このため、第１保持孔３２は、長尺な付属品１０１を、脱落しないように強く保持できる。また、図８（Ｂ）に示す第２変形例のように、スリット３６の幅Ｗ１は、前述の好ましい範囲内で、部位によって異なってもよい。図８（Ｂ）の例では、隙間Ｗ１は、第２保持孔３３の中心に向かって小さくなっているが、中心に向かって大きくなってもよい。また、図８（Ｂ）の例では、隙間Ｗ１は滑らかに変化しているが、階段状（ステップ状）に変化してもよい。
【００５６】
また、第２保持孔３３を形成するスリット３６は、十字に交差する形態に限定されない。例えば、複数の直線的なスリット３６が第２保持孔３３の略中心から放射状に延びる場合、放射状に延びる直線的なスリット３６の数は、３つ以上であることが好ましい。例示的に、図８（Ｃ）に示す第３変形例では、スリット３６は３つであり、図８（Ｄ）に示す第４変形例では、スリット３６は８つである。スリット３６に挟まれる位置に、第２係合部３８が形成される。
【００５７】
また、複数のスリット３６が集合する位置は、第２保持孔３３の略中心に限定されない。複数のスリット３６が集合する位置は、第２保持孔３３の中心からずれた位置（中心と外縁の間の位置）でもよく、または図８（Ｅ）に示す第５変形例のように、第２保持孔３３の外縁に位置してもよい。また、複数のスリット３６が集合する位置は、図８（Ｆ）に示す第６変形例のように、２つ以上存在してもよい。また、複数のスリット３６は、完全に同じ位置に集合しなくてもよい。例示的に、図８（Ｇ）に示す第７変形例では、４つの直線状のスリット３６が、第２保持孔３３の略中心にずれながら集合している。また、図８（Ｈ）に示す第８変形例では、４つの曲線状のスリット３６が、第２保持孔３３の略中心にずれながら集合している。
【００５８】
また、第２保持孔３３は、曲がった１つのスリット３６により形成されてもよい。例示的に、図８（Ｉ）に示す第９変形例では、スリット３６は略Ｓ字状であり、図８（Ｊ）に示す第１０変形例では、スリット３６は略Ｃ字状である。このように、スリット３６が１つの場合であっても、スリット３６が曲がっていることで、第２保持孔３３の第２係合部３８は、撓むように変形可能である。このため、第２保持孔３３は、第２係合部３８を変形させて、付属品１０１の挿入および引き抜きが可能であるとともに、第２係合部３８の復元力によって付属品１０１を強く保持できる。
【００５９】
また、上述した第３〜第１０変形例において、各々のスリット３６の端部側（複数のスリット３６が集合する側と異なる端部）に、破損や変形の発生を抑制するための終端部３７（図３を参照）が配置されることが好ましい。すなわち、スリット３６の端部側に、スリット３６とは異なる終端部３７が配置されてもよい。なお、終端部３７は、形成されなくてもよい。終端部３７の幅は、スリット３６の幅Ｗ１、Ｗ２よりも大きくてよい。
【００６０】
また、図９に示す第１１変形例のように、両方の吊り下げ部３０に、挿入孔２１からの距離Ｌ２が共通する第１保持孔３２および第２保持孔３３が設けられてもよい。そして、一方の吊り下げ部３０に形成される第１保持孔３２と、他方の吊り下げ部３０に形成される第２保持孔３３は、容器吊り下げ具７０を吊り下げた際に対向して配置される。これにより、同じ吊り下げ部３０に設けられる第１保持孔３２および第２保持孔３３に付属品１０１を保持できるとともに、異なる吊下げ部３０に設けられる第１保持孔３２および第２保持孔３３に付属品１０１を保持することもできる。使用者は、状況に応じて、使用する第１保持孔３２および第２保持孔３３を選択できる。
【００６１】
また、図１０（Ａ）に示す第１２変形例のように、容器吊り下げ具１１０は、一方の取っ手孔３１に第１フック部１１１が形成され、他方の取っ手孔３１に第２フック部１１２が形成されてもよい。第１フック部１１１および第２フック部１１２は、取っ手孔３１の挿入孔２１から離れている側に形成され、取っ手孔３１の中心に向かって突出している。また、各々の吊り下げ部３０は、第１折り曲げ部１１３と、第２折り曲げ部１１４とを有している。第１折り曲げ部１１３および第２折り曲げ部１１４は、挿入孔２１と第１フック部１１１との間、並びに挿入孔２１と第２フック部１１２との間に配置される。第１折り曲げ部１１３および第２折り曲げ部１１４は、折り曲げやすいように筋押し加工が施された部位である。なお、折り曲げやすくする加工は、筋押し加工に限定されない。第１折り曲げ部１１３および第２折り曲げ部１１４は、挿入孔２１から取っ手孔３１へ向かう方向と略直交して直線状に形成される。各々の第１折り曲げ部１１３は、挿入孔２１から略同距離に形成される。各々の第２折り曲げ部１１４は、挿入孔２１から略同距離で、第１折り曲げ部１１３よりも遠い側に形成される。
【００６２】
容器吊り下げ具１１０は、前述した他の実施形態と同様に、挿入孔２１に容器を挿入し、２つの取っ手孔３１を掴んで運ぶために使用される。さらに、容器吊り下げ具１１０は、テーブル等の台の上で容器１００を支持して安定させるために使用できる。そのために、図１０（Ｂ）に示す一点鎖線のように、挿入孔２１から容器１００を取り出した後、一方の吊り下げ部３０を巻くように撓ませて、取っ手孔３１の近傍を挿入孔２１に近づける。次に、取っ手孔３１の第１フック部１１１を、巻かれた吊り下げ部３０の外側へ突出させて、挿入孔２１の縁に引っ掛ける。第１フック部１１１が引っ掛かる位置は、挿入孔２１の、第１フック部１１１が形成される吊り下げ部３０と反対側の位置である。第１フック部１１１は、挿入孔２１の縁に引っ掛かることで、挿入孔２１から反対面側へ突出する。次に、図１０（Ｃ）に示す一点鎖線のように、反対側の吊り下げ部３０を、既に巻かれた吊り下げ部３０に被さるように撓ませて、取っ手孔３１の近傍を挿入孔２１に近づける。次に、取っ手孔３１の第２フック部１１２を内側へ突出させて、挿入孔２１の縁に引っ掛ける。第２フック部１１２が引っ掛かる位置は、挿入孔２１の、第２フック部１１２が形成される吊り下げ部３０と反対側の位置である。第２フック部１１２は、挿入孔２１の縁に引っ掛かることで、挿入孔２１から反対面側へ突出する。この後、各々の吊り下げ部３０の第１折り曲げ部１１３および第２折り曲げ部１１４を曲げる。第１折り曲げ部１１３および第２折り曲げ部１１４は、巻かれた容器吊り下げ具１１０の外側へ向かって突出するように曲げられる。これにより、容器吊り下げ具１１０は、図１１に示すように、第１折り曲げ部１１３および第２折り曲げ部１１４の間に位置する部位が平坦となり、その平坦な部位を下側として、台の上に安定して設置できる。平坦な部位の反対側には、挿入孔２１が位置している。このため、挿入孔２１に容器１００を挿入することで、容器１００は、台の上で容器吊り下げ具１１０によって安定して保持される。なお、第１折り曲げ部１１３および第２折り曲げ部１１４を曲げる工程は、吊り下げ部３０を巻く前に行われてもよい。また、第１フック部１１１および第２フック部１１２の形状は、挿入孔２１に引っ掛かることができれば、特に限定されない。また、各々の吊り下げ部３０に設けられる折り曲げ部の数は、２つに限定されず、１つまたは３つ以上であってもよい。例えば、各々の吊り下げ部３０に設けられる折り曲げ部の数が３つまたはそれ以上である場合、吊り下げ部３０は、各々の折り曲げ部で徐々に曲がるように設定できる。また、２つの吊り下げ部３０の各々に設けられる折り曲げ部の数は、異なってもよい。なお、吊り下げ部３０に、折り曲げやすくするための折り曲げ部が設けられなくてもよい。折り曲げ部が設けられない場合には、使用者が吊り下げ部３０の任意の位置を自分で決定して、任意の位置で折り曲げることができる。また、吊り下げ部３０の折り曲げるために望ましい位置に、目視によって確認できる線や色からなる表示部が表示されてもよい。これにより、使用者は、表示部を確認しつつ、吊り下げ部３０の望ましい位置を折り曲げることができる。
【符号の説明】
【００６３】
１０、５０、６０、７０、８０、１１０    容器吊り下げ具
２０    中央部
２１    挿入孔
３０    吊り下げ部
３１    取っ手孔
３２    第１保持孔（保持孔）
３３、７１    第２保持孔（保持孔）
３４、５１、６１    第３保持孔（保持孔）
３５、５２、６２    第４保持孔（保持孔）
３８    第２係合部（係合部）
３９、５８、５９、６３    第３係合部（係合部）
８１    補強部
１００    容器
１０１、１０２    付属品
【図１】
2020066467.tif 000003
【図２】
2020066467.tif 000004
【図３】
2020066467.tif 000005
【図４】
2020066467.tif 000006
【図５】
2020066467.tif 000007
【図６】
2020066467.tif 000008
【図７】
2020066467.tif 000009
【図８】
2020066467.tif 000010
【図９】
2020066467.tif 000011
【図１０】
2020066467.tif 000012
【図１１】
2020066467.tif 000013
【手続補正書】
【提出日】令和1年7月19日(2019.7.19)
【手続補正１】
【補正対象書類名】明細書
【補正対象項目名】０００７
【補正方法】変更
【補正の内容】
【０００７】
上記目的を達成する容器吊り下げ具は、柔軟なシートにより形成されて容器を吊り下げ可能であり、長尺な付属品を保持可能な容器吊り下げ具であって、容器を差し込み可能な挿入孔が形成される中央部と、前記中央部から対向する両方向へ延在し、各々に取っ手となる取っ手孔が形成される２つの吊り下げ部と、を有し、前記吊り下げ部の少なくとも一方は、前記挿入孔および取っ手孔の間に当該吊り下げ部の厚さの方向へ貫通するとともに、円形である少なくとも１つの第１保持孔が形成され、前記吊り下げ部の少なくとも一方は、前記挿入孔および取っ手孔の間に当該吊り下げ部の厚さの方向へ貫通するとともに、スリットにより形成される少なくとも１つの第２保持孔が形成され、前記付属品を前記第１保持孔および前記第２保持孔に挿入して保持可能であり、前記第１保持孔の少なくとも１つと、前記第２保持孔の少なくとも１つは、前記挿入孔から前記取っ手孔へ向かって略同一距離に位置することを特徴とする。
【手続補正２】
【補正対象書類名】明細書
【補正対象項目名】０００８
【補正方法】変更
【補正の内容】
【０００８】
上記目的を達成する容器吊り下げ具は、柔軟なシートにより形成されて容器を吊り下げ可能であり、長尺な付属品を保持可能な容器吊り下げ具であって、容器を差し込み可能な挿入孔が形成される中央部と、前記中央部から対向する両方向へ延在し、各々に取っ手となる取っ手孔が形成される２つの吊り下げ部と、を有し、前記吊り下げ部の少なくとも一方は、前記挿入孔および取っ手孔の間に当該吊り下げ部の厚さの方向へ貫通するとともに、内接し得る円の最大直径が１０〜２５ｍｍである少なくとも１つの第１保持孔が形成され、前記付属品を前記第１保持孔および前記第２保持孔に挿入して保持可能であり、前記吊り下げ部の少なくとも一方は、前記挿入孔および取っ手孔の間に当該吊り下げ部の厚さの方向へ貫通するとともに、隙間が１．５ｍｍ以下であるスリットにより形成される少なくとも１つの第２保持孔が形成され、前記第１保持孔の少なくとも１つと、前記第２保持孔の少なくとも１つは、前記挿入孔から前記取っ手孔へ向かって略同一距離に位置することを特徴とする。
【手続補正３】
【補正対象書類名】特許請求の範囲
【補正対象項目名】全文
【補正方法】変更
【補正の内容】
【特許請求の範囲】
【請求項１】
柔軟なシートにより形成されて容器を吊り下げ可能であり、長尺な付属品を保持可能な容器吊り下げ具であって、
容器を差し込み可能な挿入孔が形成される中央部と、
前記中央部から対向する両方向へ延在し、各々に取っ手となる取っ手孔が形成される２つの吊り下げ部と、を有し、
前記吊り下げ部の少なくとも一方は、前記挿入孔および取っ手孔の間に当該吊り下げ部の厚さの方向へ貫通するとともに、円形である少なくとも１つの第１保持孔が形成され、
前記吊り下げ部の少なくとも一方は、前記挿入孔および取っ手孔の間に当該吊り下げ部の厚さの方向へ貫通するとともに、スリットにより形成される少なくとも１つの第２保持孔が形成され、
前記付属品を前記第１保持孔および前記第２保持孔に挿入して保持可能であり、
前記第１保持孔の少なくとも１つと、前記第２保持孔の少なくとも１つは、前記挿入孔から前記取っ手孔へ向かって略同一距離に位置することを特徴とする容器吊り下げ具。
【請求項２】
柔軟なシートにより形成されて容器を吊り下げ可能であり、長尺な付属品を保持可能な容器吊り下げ具であって、
容器を差し込み可能な挿入孔が形成される中央部と、
前記中央部から対向する両方向へ延在し、各々に取っ手となる取っ手孔が形成される２つの吊り下げ部と、を有し、
前記吊り下げ部の少なくとも一方は、前記挿入孔および取っ手孔の間に当該吊り下げ部の厚さの方向へ貫通するとともに、内接し得る円の最大直径が１０〜２５ｍｍである少なくとも１つの第１保持孔が形成され、
前記吊り下げ部の少なくとも一方は、前記挿入孔および取っ手孔の間に当該吊り下げ部の厚さの方向へ貫通するとともに、隙間が１．５ｍｍ以下であるスリットにより形成される少なくとも１つの第２保持孔が形成され、
前記付属品を前記第１保持孔および前記第２保持孔に挿入して保持可能であり、
前記第１保持孔の少なくとも１つと、前記第２保持孔の少なくとも１つは、前記挿入孔から前記取っ手孔へ向かって略同一距離に位置することを特徴とする容器吊り下げ具。